(57)【要約】  【課題】  受信装置に接続された各ハードディスクレコーダにおける記録可能な空き領域を有効に利用できるようにする情報記録システムを提供する。  【解決手段】  受信装置１は、所望の番組の録画予約を行ったとき、記録済み番組をハードディスクレコーダ４，５，６間で移動を行える領域があると判定した場合に、ハードディスクレコーダ４，５，６間で前記記録済み番組の移動を行ってハードディスクレコーダ４，５，６の残量領域の整理を行う機能を備えた。ユーザは番組に関するデータの検索、移動、削除などの煩わしい操作をしなくても、簡単に番組の録画予約を行うことができ、記録可能領域の残量を整理することにより、各ハードディスクレコーダ４，５，６における記録可能な空き領域を有効に利用できるようになる。【選択図】      図１
2005149566.tif 000002
【特許請求の範囲】
【請求項１】
放送番組を受信する受信装置と、この受信装置に所定のデジタルケーブルを介してそれ
ぞれ接続された複数のハードディスクレコーダとを有して構成された情報記録システムに
おいて、前記受信装置に、所望する番組の録画予約を行う予約手段と、前記デジタルケー
ブルに接続されているハードディスクレコーダの台数と各ハードディスクレコーダに記録
されている番組の個数と番組の記録時間と番組の容量とを含む管理情報を取得する管理情
報取得手段と、前記取得された管理情報に基づいて前記ハードディスクレコーダ全体での
記録可能残量時間を算出する残量時間算出手段と、前記算出された記録可能残量時間を保
持しつつ記録済み番組を当該ハードディスクレコーダ間で移動を行える領域があるか否か
を判定する領域判定手段と、前記記録済み番組の移動を行える領域があると判定された場
合に当該ハードディスクレコーダ間で前記記録済み番組の移動を行って当該ハードディス
クレコーダの残量領域の整理を行う領域整理手段と、前記残量領域の整理を行った場合に
は当該ハードディスクレコーダ間で移動した番組の名称および移動先の通知を行うと共に
空き領域が確保されたレコーダ名を通知し、前記残量領域の整理が行えなかった場合には
前記録画予約の番組が記録可能な空き領域を有するレコーダ名の通知を行う通知手段とを
備えたことを特徴とする情報記録システム。
【請求項２】
放送番組を受信する受信装置と、この受信装置に所定のデジタルケーブルを介してそれ
ぞれ接続された複数の記録装置とを有して構成された情報記録システムにおいて、前記受
信装置は、所望する番組の録画予約を行ったとき、記録済み番組を当該記録装置間で移動
を行える領域があると判定した場合に、当該記録装置間で前記記録済み番組の移動を行っ
て当該記録装置の残量領域の整理を行う機能を備えたことを特徴とする情報記録システム
。
【請求項３】
前記受信装置は、所望する番組の録画予約を行う予約手段と、前記デジタルケーブルに
接続されている記録装置の台数と各記録装置に記録されている番組に関する情報とを含む
管理情報を取得する管理情報取得手段と、前記取得された管理情報に基づいて前記記録装
置全体での記録可能残量時間を算出する残量時間算出手段と、前記算出された記録可能残
量時間を保持しつつ記録済み番組を当該記録装置間で移動を行える領域があるか否かを判
定する領域判定手段と、前記記録済み番組の移動を行える領域があると判定された場合に
当該記録装置間で前記記録済み番組の移動を行って当該記録装置の残量領域の整理を行う
領域整理手段とを備えたことを特徴とする請求項２に記載の情報記録システム。
【請求項４】
前記受信装置は、前記残量領域の整理を行った場合には当該記録装置間で移動した番組
の名称および移動先の通知を行うと共に空き領域が確保された記録装置名を通知し、前記
残量領域の整理が行えなかった場合には前記録画予約の番組が記録可能な空き領域を有す
る記録装置名の通知を行う通知手段を備えたことを特徴とする請求項３に記載の情報記録
システム。
【請求項５】
前記記録装置はハードディスクレコーダであることを特徴とする請求項２または請求項
３または請求項４に記載の情報記録システム。
【請求項６】
前記番組に関する情報とは、各記録装置に記録されている番組の個数と番組の記録時間
と番組の容量を含む情報であることを特徴とする請求項３に記載の情報記録システム。
【発明の詳細な説明】
【技術分野】
【０００１】
本発明は、放送番組を受信する受信装置と、この受信装置に所定のデジタルケーブルを
介してそれぞれ接続された複数のハードディスクレコーダとを有し、受信装置で受信した
放送番組をハードディスクレコーダに記録する情報記録システムに関する。
【背景技術】
【０００２】
従来から、放送番組を受信するテレビなどの受信装置と、この受信装置にＩＥＥＥ（Th
e Institute of Electrical and Electronics Engineers, Inc.）１３９４規格に準拠し
たＩＥＥＥ１３９４ケーブルを用いて接続された複数のハードディスクレコーダとにより
構成された情報記録システムが知られている。
【０００３】
このような従来の情報記録システムにおいて録画予約した番組をハードディスクレコー
ダに記録する場合の処理を説明する。先ず、受信装置における予約機能を用いて例えば２
時間の番組の録画予約を行うと、受信装置は、ＩＥＥＥ１３９４ケーブルに接続されてい
る複数のハードディスクレコーダの中から２時間分の空き領域が残っているハードディス
クを備えたハードディスクレコーダを探し、このハードディスクレコーダに録画予約の番
組を記録できるように設定する。したがって、録画予約の時刻になると、受信装置で受信
する２時間の番組が、前記２時間分の空き領域が残っているハードディスクを備えたハー
ドディスクレコーダに伝送され、このハードディスクレコーダのハードディスクに記録さ
れることになる。
【特許文献１】特開２００３号１９９０１２号公報
【発明の開示】
【発明が解決しようとする課題】
【０００４】
ところが、複数のハードディスクレコーダの中に２時間分の空き領域が残っているハー
ドディスクを備えるハードディスクレコーダがあれば問題がないが、例えば、２台のハー
ドディスクレコーダのそれぞれに１時間分の空き領域が残っていても、２時間分の録画が
できないことになる。
【０００５】
そこで、特許文献１の従来技術では、複数の記録再生機器（ハードディスクレコーダに
相当）に分割して番組の記録を行い、また、分割記録された番組を連続再生可能にしてい
るが、一つの番組が複数の記録再生機器に分割されて記録されるので、ユーザにとっては
、どの番組が、どの記録再生機器に記録されているか等の管理が煩わしく、また、各記録
再生機器における記録可能な空き領域を有効に利用できない等の課題があった。
【０００６】
本発明は、上記のような課題を解決するためになされたもので、ユーザにとって、どの
番組が、どの記録装置（ハードディスクレコーダ）に記録されているか等の管理を行い易
くし、また、各記録装置における記録可能な空き領域を有効に利用できるようにする情報
記録システムを提供することを目的とする。
【課題を解決するための手段】
【０００７】
上記目的を達成するために、請求項１の発明は、放送番組を受信する受信装置と、この
受信装置に所定のデジタルケーブルを介してそれぞれ接続された複数のハードディスクレ
コーダとを有して構成された情報記録システムにおいて、前記受信装置に、所望する番組
の録画予約を行う予約手段と、前記デジタルケーブルに接続されているハードディスクレ
コーダの台数と各ハードディスクレコーダに記録されている番組の個数と番組の記録時間
と番組の容量とを含む管理情報を取得する管理情報取得手段と、前記取得された管理情報
に基づいて前記ハードディスクレコーダ全体での記録可能残量時間を算出する残量時間算
出手段と、前記算出された記録可能残量時間を保持しつつ記録済み番組を当該ハードディ
スクレコーダ間で移動を行える領域があるか否かを判定する領域判定手段と、前記記録済
み番組の移動を行える領域があると判定された場合に当該ハードディスクレコーダ間で前
記記録済み番組の移動を行って当該ハードディスクレコーダの残量領域の整理を行う領域
整理手段と、前記残量領域の整理を行った場合には当該ハードディスクレコーダ間で移動
した番組の名称および移動先の通知を行うと共に空き領域が確保されたレコーダ名を通知
し、前記残量領域の整理が行えなかった場合には前記録画予約の番組が記録可能な空き領
域を有するレコーダ名の通知を行う通知手段とを備えたことを特徴とする情報記録システ
ムを提供する。
【０００８】
この構成において、受信装置における予約手段を用いて録画予約を行い、次に、デジタ
ルケーブルに接続されているハードディスクレコーダの台数と各ハードディスクレコーダ
に記録されている番組の個数と番組の記録時間と番組の容量とを含む管理情報を管理情報
取得手段により取得し、この時に前記取得された管理情報に基づいて前記ハードディスク
レコーダ全体での記録可能残量時間を残量時間算出手段により算出する。その後、前記算
出された記録可能残量時間を保持しつつ記録済み番組を当該ハードディスクレコーダ間で
移動を行える領域があるか否かを領域判定手段により判定する。
【０００９】
そして、前記記録済み番組の移動を行える領域があると判定された場合に、当該ハード
ディスクレコーダ間で前記記録済み番組の移動を行って当該ハードディスクレコーダの残
量領域の整理を、領域整理手段により行う。このようにして、前記残量領域の整理を行っ
た場合、通知手段は、当該ハードディスクレコーダ間で移動した番組の名称および移動先
の通知を行うと共に、空き領域が確保されたレコーダ名を通知する。一方、領域判定手段
により、移動を行える領域がないと判定され、前記残量領域の整理が行えなかった場合に
は、通知手段は、前記録画予約の番組が記録可能な空き領域を有するレコーダ名の通知を
行う。
【００１０】
この構成によれば、ユーザにとって、どの番組が、どのハードディスクレコーダに記録
されているか等の管理が行い易くなり、また、記録可能領域の残量を整理することにより
、各ハードディスクレコーダにおける記録可能な空き領域を有効に利用できるようになる
。
【００１１】
請求項２の発明は、放送番組を受信する受信装置と、この受信装置に所定のデジタルケ
ーブルを介してそれぞれ接続された複数の記録装置とを有して構成された情報記録システ
ムにおいて、前記受信装置は、所望する番組の録画予約を行ったとき、記録済み番組を当
該記録装置間で移動を行える領域があると判定した場合に、当該記録装置間で前記記録済
み番組の移動を行って当該記録装置の残量領域の整理を行う機能を備えたことを特徴とす
る情報記録システムを提供する。
【００１２】
この構成において、所望する番組の録画予約が受信装置で行われたとき、記録済み番組
を当該記録装置間で移動を行える領域があると判定された場合に、当該記録装置間で前記
記録済み番組の移動が行われ、当該記録装置の残量領域の整理が行われる。
【００１３】
この構成によれば、記録可能領域の残量を整理することにより、各記録装置における記
録可能な空き領域を有効に利用できる。
【００１４】
請求項３の発明では、請求項２の発明において、前記受信装置は、所望する番組の録画
予約を行う予約手段と、前記デジタルケーブルに接続されている記録装置の台数と各記録
装置に記録されている番組に関する情報とを含む管理情報を取得する管理情報取得手段と
、前記取得された管理情報に基づいて前記記録装置全体での記録可能残量時間を算出する
残量時間算出手段と、前記算出された記録可能残量時間を保持しつつ記録済み番組を当該
記録装置間で移動を行える領域があるか否かを判定する領域判定手段と、前記記録済み番
組の移動を行える領域があると判定された場合に当該記録装置間で前記記録済み番組の移
動を行って当該記録装置の残量領域の整理を行う領域整理手段とを備えたので、記録可能
領域の残量を整理することができ、各記録装置における記録可能な空き領域を有効に利用
できる。
【００１５】
請求項４の発明では、請求項２の発明において、前記受信装置は、前記残量領域の整理
を行った場合には当該記録装置間で移動した番組の名称および移動先の通知を行うと共に
空き領域が確保された記録装置名を通知し、前記残量領域の整理が行えなかった場合には
前記録画予約の番組が記録可能な空き領域を有する記録装置名の通知を行う通知手段を備
えたので、ユーザにとって、どの番組が、どの記録装置に記録されているか等の管理が行
い易くなる。
【００１６】
請求項５の発明では、前記記録装置はハードディスクレコーダであるので、前記受信装
置は、ＩＥＥＥ１３９４ケーブルを介して複数のハードディスクレコーダと接続でき、任
意に各ハードディスクレコーダを制御でき、これにより、番組を記録したり再生したりす
ることが、受信装置側の操作により自由に行うことができる。
【００１７】
請求項６の発明では、請求項３の発明において、前記番組に関する情報とは、各記録装
置に記録されている番組の個数と番組の記録時間と番組の容量を含む情報であるので、当
該記録装置間で前記記録済み番組の移動を行って当該記録装置の残量領域の整理を精度良
く行うことに役立てることができる。
【発明の効果】
【００１８】
以上のように本発明によれば、放送番組を受信する受信装置と、この受信装置に所定の
デジタルケーブルを介してそれぞれ接続された複数のハードディスクレコーダとを有して
構成された情報記録システムにおいて、前記受信装置に、所望する番組の録画予約を行う
予約手段と、前記デジタルケーブルに接続されているハードディスクレコーダの台数と各
ハードディスクレコーダに記録されている番組の個数と番組の記録時間と番組の容量とを
含む管理情報を取得する管理情報取得手段と、前記取得された管理情報に基づいて前記ハ
ードディスクレコーダ全体での記録可能残量時間を算出する残量時間算出手段と、前記算
出された記録可能残量時間を保持しつつ記録済み番組を当該ハードディスクレコーダ間で
移動を行える領域があるか否かを判定する領域判定手段と、前記記録済み番組の移動を行
える領域があると判定された場合に当該ハードディスクレコーダ間で前記記録済み番組の
移動を行って当該ハードディスクレコーダの残量領域の整理を行う領域整理手段と、前記
残量領域の整理を行った場合には当該ハードディスクレコーダ間で移動した番組の名称お
よび移動先の通知を行うと共に空き領域が確保されたレコーダ名を通知し、前記残量領域
の整理が行えなかった場合には前記録画予約の番組が記録可能な空き領域を有するレコー
ダ名の通知を行う通知手段とを備えたので、ユーザは番組に関するデータの検索、移動、
削除などの煩わしい操作をしなくても、簡単に番組の録画予約を行うことができ、ユーザ
にとって、どの番組が、どのハードディスクレコーダに記録されているか等の管理が行い
易くなり、また、記録可能領域の残量を整理することにより、各ハードディスクレコーダ
における記録可能な空き領域を有効に利用できるようになる。
【００１９】
また、本発明によれば、放送番組を受信する受信装置と、この受信装置に所定のデジタ
ルケーブルを介してそれぞれ接続された複数の記録装置とを有して構成された情報記録シ
ステムにおいて、前記受信装置は、所望する番組の録画予約を行ったとき、記録済み番組
を当該記録装置間で移動を行える領域があると判定した場合に、当該記録装置間で前記記
録済み番組の移動を行って当該記録装置の残量領域の整理を行う機能を備えたので、ユー
ザは番組に関するデータの検索、移動、削除などの煩わしい操作をしなくても、簡単に番
組の録画予約を行うことができ、また、記録可能領域の残量を整理することにより、各記
録装置における記録可能な空き領域を有効に利用できる。
【発明を実施するための最良の形態】
【００２０】
以下、添付図面を参照しつつ、本発明の実施の形態について説明する。図１は本発明の
一実施形態に係る情報記録システムの構成を示すブロック図である。この情報記録システ
ムは、放送番組を受信する受信装置１と、この受信装置１にアナログＡＶケーブル２を介
して接続されている表示装置３と、同じく受信装置１にアナログＡＶケーブル２を介して
接続されている音響装置８と、受信装置１にＩＥＥＥ（The Institute of Electrical an
d Electronics Engineers, Inc.）１３９４ケーブル７を介して接続されているハードデ
ィスクレコーダ４，５，６とを備えている。
【００２１】
受信装置１としてはＳＴＢ（Set Top Box）またはＳＴＢを備えるＤＴＶ（デジタルテ
レビ）の回路部で実現され、ＳＴＢまたはＤＶＤの回路部から出力された映像信号は表示
装置３に供給されて映像化され、音声信号は音響装置８に供給されて音声化される。受信
装置１は、ユーザの操作に従って、ＩＥＥＥ１３９４ケーブル７を介して制御用データを
送出することにより、各ハードディスクレコーダ４，５，６を、それぞれ任意に選択して
制御することが可能になっている。
【００２２】
これにより、受信装置１は、受信して復調した放送番組のデジタル映像データおよびデ
ジタル音声データを、任意に選択したハードディスクレコーダ４，５，６にＩＥＥＥ１３
９４ケーブル７を介して伝送することによって、ハードディスク４ａ，５ａ，６ａに記録
させることができる。また、受信装置１は、任意に選択したハードディスクレコーダ４，
５，６からハードディスク４ａ，５ａ，６ａに記録されたデジタル映像データおよびデジ
タル音声データを読み出させ、ＩＥＥＥ１３９４ケーブル７を介して入力することにより
、映像を表示装置３に表示させることが可能になると共に、音声を音響装置８から出力さ
せることが可能になる。
【００２３】
図２は前記受信装置１の構成を示すブロック図である。この受信装置１は、各構成要素
を制御するための演算処理を行うＣＰＵ部２１と、このＣＰＵ部２１の演算処理に必要な
データを記憶するメモリ部２６と、ＭＰＥＧ（Moving Picture Image Coding Experts Gr
oup）２方式による処理を行うＭＰＥＧ２処理部２２と、ＮＴＳＣ（National Television
System Committee）方式によるＴＶ信号である例えばＲＥＣ６５６信号を作成するＮＴ
ＳＣ処理部２３と、ＩＥＥＥ１３９４処理を行うＩＥＥＥ１３９４処理部２４と、ＩＥＥ
Ｅ１３９４コネクタ２５とを備えている。ＮＴＳＣ処理部２３の出力はアナログＡＶケー
ブル２を介して図１に示す表示装置３および音響装置８に接続されている。ＩＥＥＥ１３
９４コネクタ２５は図１に示すＩＥＥＥ１３９４ケーブル７に接続されている。
【００２４】
ＣＰＵ部２１は、本実施形態の特徴とする構成要素として、所望する番組の録画予約を
行う予約手段２１１と、前記ＩＥＥＥ１３９４ケーブル７に接続されているハードディス
クレコーダの台数と各ハードディスクレコーダに記録されている番組の個数と番組の記録
時間と番組の容量とを含む管理情報をメモリ部２６から取得する管理情報取得手段２１２
と、前記取得された管理情報に基づいて前記ハードディスクレコーダ全体での記録可能残
量時間を算出する残量時間算出手段２１３と、前記算出された記録可能残量時間を保持し
つつ記録済み番組を当該ハードディスクレコーダ間で移動を行える領域があるか否かを判
定する領域判定手段２１４と、前記記録済み番組の移動を行える領域があると判定された
場合に当該ハードディスクレコーダ間で前記記録済み番組の移動を行って当該ハードディ
スクレコーダの残量領域の整理を行う領域整理手段２１５と、前記残量領域の整理を行っ
た場合には当該ハードディスクレコーダ間で移動した番組の名称および移動先の通知を行
うと共に空き領域が確保されたレコーダ名を通知し、前記残量領域の整理が行えなかった
場合には前記録画予約の番組が記録可能な空き領域を有するレコーダ名の通知を行う通知
手段２１６とを備えている。
【００２５】
図３は本実施形態において録画予約した番組をハードディスクレコーダに記録する場合
の処理を説明するためのフローチャートである。先ず、受信装置１におけるＳＴＢまたは
ＤＴＶのＥＰＧ（番組表）予約機能である予約手段２１１を用いて録画予約を行う（ステ
ップＳ１）。この時点で録画したい番組の時間が把握できる。
【００２６】
次に、ＩＥＥＥ１３９４ケーブル７に接続されているハードディスクレコーダの台数と
各ハードディスクレコーダに記録されている番組の個数と番組の記録時間と番組の容量と
を含む管理情報を、メモリ部２６から管理情報取得手段２１２により取得し（ステップＳ
２）、この時に前記取得された管理情報に基づいて前記ハードディスクレコーダ全体での
記録可能残量時間を残量時間算出手段２１３により算出する（ステップＳ３）。その後、
前記算出された記録可能残量時間を保持しつつ記録済み番組を当該ハードディスクレコー
ダ間で移動を行える領域があるか否かを領域判定手段２１４により判定する（ステップＳ
４）。
【００２７】
例えば、２時間の番組を予約録画したいとき、ハードディスクレコーダ４に１時間分の
空き領域があり、また、ハードディスクレコーダ５に１時間の番組が記録されていると共
に１時間分の空き領域があった場合、記録可能残量時間はハードディスクレコーダ４の１
時間分の空き領域とハードディスクレコーダ５の１時間分の空き領域とを合わせた２時間
分の空き領域とが確保できる。即ち、記録可能残量時間が２時間であることを算出できる
。
【００２８】
そして、前記記録済み番組の移動を行える領域があると判定された場合に（ステップＳ
４）、当該ハードディスクレコーダ間で前記記録済み番組の移動を行って当該ハードディ
スクレコーダの残量領域の整理を、領域整理手段２１５により行う（ステップＳ５）。例
えば、ハードディスクレコーダ５に記録されている１時間の番組を、ハードディスクレコ
ーダ４の１時間分の空き領域に移動させることによって、ハードディスクレコーダ５には
２時間分の空き領域が確保できる。即ち、ハードディスクレコーダ４，５の残量領域が整
理されたことになる。
【００２９】
このようにして、前記残量領域の整理を行った場合、通知手段２１６は、当該ハードデ
ィスクレコーダ間で移動した番組の名称および移動先の通知を行う（ステップＳ６）と共
に、空き領域が確保されたレコーダ名を通知する（ステップＳ７）。例えば、ハードディ
スクレコーダ５の番組Ａをハードディスクレコーダ４に移動させた場合、番組Ａの名称お
よび移動先のハードディスクレコーダ４のレコーダ名を表示装置３に表示させると共に、
空き領域が確保されたハードディスクレコーダ５のレコーダ名を表示させる。そして、こ
の後、例えば、録画予約された２時間の番組はハードディスク５の２時間分の空き領域に
記録されることになる（ステップＳ８）。
【００３０】
一方、領域判定手段２１４により、移動を行える領域がないと判定され（ステップＳ４
）、前記残量領域の整理が行えなかった場合には、通知手段２１６は、前記録画予約の番
組が記録可能な空き領域を有するレコーダ名を表示装置３に表示させることによりユーザ
に通知を行う（ステップＳ９）。そして、前記録画予約の番組が記録可能な空き領域を有
するレコーダ名のハードディスクレコーダに、前記録画予約の番組が記録されることにな
る（ステップＳ１０）。
【００３１】
以上のように本実施形態によれば、ユーザは番組に関するデータの検索、移動、削除な
どの煩わしい操作をしなくても、簡単に番組の録画予約を行うことができ、ユーザにとっ
て、どの番組が、どのハードディスクレコーダに記録されているか等の管理が行い易くな
り、また、記録可能領域の残量を整理することにより、各ハードディスクレコーダにおけ
る記録可能な空き領域を有効に利用できる。なお、本発明としては、ＩＥＥＥ１３９４の
規格以外の規格を持つ構成要素に対しても適用が可能である。
【図面の簡単な説明】
【００３２】
【図１】本発明の一実施形態に係る情報記録システムの構成を示すブロック図である。
【図２】図１中の受信装置の構成を示すブロック図である。
【図３】前記実施形態において録画予約した番組をハードディスクレコーダに記録する場合の処理を説明するためのフローチャートである。
【符号の説明】
【００３３】
１    受信装置
４，５，６ハードディスクレコーダ（記録装置）
７    ＩＥＥＥ１３９４ケーブル（デジタルケーブル）
２１１    予約手段
２１２    管理情報取得手段
２１３    残量時間算出手段
２１４    領域判定手段
２１５    領域管理手段
２１６    通知手段
【図１】
2005149566.tif 000003
【図２】
2005149566.tif 000004
【図３】
2005149566.tif 000005